(57)【要約】【課題】各基地局の通信エリアの混雑度を端末のユーザに知らせる為に、サーバ等の追加機材を設ける必要があるので、システムの設置コストが高くなってしまうという課題があった。【解決手段】システムは、端末と通信を行う基地局を備え、前記基地局は、自局の通信エリアの混雑度を算出する算出部と、接続する隣接基地局から、前記隣接基地局の通信エリアの混雑度及び前記隣接基地局の通信エリアを示す情報を取得する取得部と、所定の契機に、自局の前記通信エリアを示す所定の情報、算出した前記混雑度、取得した前記情報、及び取得した前記混雑度を送信する送信部と、を備える基地局であり、前記端末は、受信した複数の基地局の通信エリアを示す情報と前記通信エリアの混雑度を報知する信号を出力する端末である。【選択図】      図１６
2016134693.tif 000002
【特許請求の範囲】
【請求項１】
自局の通信エリアの混雑度を算出する算出部と、
接続する隣接基地局から、前記隣接基地局の通信エリアの混雑度及び前記隣接基地局の通信エリアを示す情報を取得する取得部と、
所定の契機に、自局の前記通信エリアを示す所定の情報、算出した前記混雑度、取得した前記情報、及び取得した前記混雑度を送信する送信部と、
を備えることを特徴とする基地局。
【請求項２】
前記算出部は、前記基地局が自局の前記通信エリア内の端末と通信を行うために使用する無線リソースの使用率を前記混雑度として算出する、
ことを特徴とする請求項１に記載の基地局。
【請求項３】
前記情報は、位置情報、若しくは地名である、
ことを特徴とする請求項１又は請求項２に記載の基地局。
【請求項４】
受信した複数の基地局の通信エリアを示す情報と前記通信エリアの混雑度を報知する信号を出力する、
ことを特徴とする端末。
【請求項５】
前記情報と前記混雑度に基づいて、混雑度の低い通信エリアへの移動を促す情報を報知する信号を出力する、
ことを特徴とする請求項４に記載の端末。
【請求項６】
受信した前記情報と前記混雑度毎に、画面上に表示された所定の地図データの前記情報に対応する位置に前記混雑度を表示する、
ことを特徴とする請求項４又は請求項５に記載の端末。
【請求項７】
前記情報に対応する所定のエリアに前記混雑度を表示する、
ことを特徴とする請求項６に記載の端末。
【請求項８】
端末と通信を行う基地局を備え、
前記基地局は、請求項１乃至３のいずれか１項に記載の基地局であり、
前記端末は、請求項４乃至７のいずれか１項に記載の端末である、
ことを特徴とするシステム。
【請求項９】
基地局が、自局の通信エリアの混雑度を算出する算出ステップと、
前記基地局が、接続する隣接基地局から、前記隣接基地局の通信エリアの混雑度及び前記隣接基地局の通信エリアを示す情報を取得する取得ステップと、
前記基地局が、所定の契機に、自局の前記通信エリアを示す所定の情報、前記算出ステップで算出した前記混雑度、取得した前記情報、及び取得した前記混雑度を端末に送信する送信ステップと、
前記端末が、受信した複数の基地局の通信エリアを示す情報と前記通信エリアの混雑度を報知する報知ステップと、を有する、
ことを特徴とする情報提供方法。
【請求項１０】
前記算出ステップにおいては、前記基地局が自局の前記通信エリア内の端末と通信を行うために使用する無線リソースの使用率を前記混雑度として算出する、
ことを特徴とする請求項９に記載の情報提供方法。
【発明の詳細な説明】
【技術分野】
【０００１】
本発明は、端末、基地局、システム、情報提供方法に関し、特に、通信エリアの混雑状況を端末のユーザに提供する端末、基地局、システム、情報提供方法に関する。
【背景技術】
【０００２】
一般的に、通信エリアの混雑状況を端末のユーザに提供するシステムが知られている。
【０００３】
上述の通信エリアの混雑状況を提供するシステムは、以下の特許文献１に開示されている。図１７は、特許文献１のシステムの構成例を示す図である。
【０００４】
特許文献１のシステムは、図１７に示されるように、端末９１と、基地局９２、９３と、情報収集サーバ９４と、隣接識別・表示サーバ９５と、情報提供装置９６と、を備える。基地局９２は、端末９１と通信中の基地局であり、基地局９３は、基地局９２に隣接する基地局である。情報収集サーバ９４は、基地局９２、９３毎に混雑情報（送信パケット量）を収集する。隣接識別・表示サーバ９５は、各基地局の位置情報を記憶する。
【０００５】
特許文献１のシステムの情報提供装置９６は、端末９１からアクセスがあった場合、端末９１と通信を行っている基地局９２及びそれに隣接する基地局９３の混雑情報を情報収集サーバ９４から取得する。さらに、情報提供装置９６は、基地局９２の位置情報及び基地局９３の位置情報を隣接識別・表示サーバ９５から取得する。情報提供装置９６は、取得した各基地局の位置情報に基づき、各基地局がカバーするエリアの地図データを収集する。上述の地図データは、基地局９２がカバーするエリア（以下、「基地局９２の通信エリア」という）の地図データと、隣接する基地局９３がカバーするエリア（以下、「基地局９３の通信エリア」という）の地図データである。情報提供装置９６は、収集した地図データと各基地局の混雑情報を端末９１に送信する。
【０００６】
端末９１は、地図データと各基地局の混雑情報を受信すると、受信した地図データを画面上に表示する。端末９１の画面には、端末９１と通信中の基地局９２の通信エリアと、隣接する基地局９３の通信エリアと、が表示される。端末９１は、受信した各基地局の混雑情報に対応する色を決定し、決定した色を画面上の各基地局の通信エリアに重ねて表示する。
【０００７】
上述の構成や動作の通り、特許文献１のシステムは、端末９１と通信を行っている基地局９２の通信エリアの混雑情報、隣接する基地局９３の通信エリアの混雑情報を端末９１のユーザに知らせることができる。端末９１のユーザは、表示された情報を参考にして、より混雑度の少ない通信エリアへ移動することができる。
【先行技術文献】
【特許文献】
【０００８】
【特許文献１】特開２００４−４８２８９号公報
【発明の概要】
【発明が解決しようとする課題】
【０００９】
しかし、特許文献１のシステムは、端末や基地局以外に情報提供装置や情報収集サーバ等の追加機材を設ける必要がある為、システムの設置コストが高くなってしまうという課題があった。
【００１０】
本発明は、上記課題を解決する端末、基地局、システム、情報提供方法を提供することを目的とする。
【課題を解決するための手段】
【００１１】
上記目的を達成するために、本発明の基地局は、自局の通信エリアの混雑度を算出する算出部と、接続する隣接基地局から、前記隣接基地局の通信エリアの混雑度及び前記隣接基地局の通信エリアを示す情報を取得する取得部と、所定の契機に、自局の前記通信エリアを示す所定の情報、算出した前記混雑度、取得した前記情報、及び取得した前記混雑度を送信する送信部と、を備える。
【００１２】
上記目的を達成するために、本発明の端末は、受信した複数の基地局の通信エリアを示す情報と前記通信エリアの混雑度を報知する信号を出力する。
【００１３】
上記目的を達成するために、本発明のシステムは、端末と通信を行う基地局を備え、前記基地局は、自局の通信エリアの混雑度を算出する算出部と、接続する隣接基地局から、前記隣接基地局の通信エリアの混雑度及び前記隣接基地局の通信エリアを示す情報を取得する取得部と、所定の契機に、自局の前記通信エリアを示す所定の情報、算出した前記混雑度、取得した前記情報、及び取得した前記混雑度を送信する送信部と、を備える基地局であり、前記端末は、受信した複数の基地局の通信エリアを示す情報と前記通信エリアの混雑度を報知する信号を出力する端末である。
【００１４】
上記目的を達成するために、本発明の情報提供方法は、基地局が、自局の通信エリアの混雑度を算出する算出ステップと、前記基地局が、接続する隣接基地局から、前記隣接基地局の通信エリアの混雑度及び前記隣接基地局の通信エリアを示す情報を取得する取得ステップと、前記基地局が、所定の契機に、自局の前記通信エリアを示す所定の情報、前記算出ステップで算出した前記混雑度、取得した前記情報、及び取得した前記混雑度を端末に送信する送信ステップと、前記端末が、受信した複数の基地局の通信エリアを示す情報と前記通信エリアの混雑度を報知する報知ステップと、を有する。
【発明の効果】
【００１５】
本発明によれば、システムは、システムの設置コストを十分に抑えた上で、端末のユーザに対し、当該端末が通信を行っている基地局の通信エリアの混雑情報と、隣接する基地局の通信エリアの混雑情報と、を知らせることができる。
【図面の簡単な説明】
【００１６】
【図１】本発明の第１の実施の形態におけるシステムの構成例を示す図である。
【図２】本発明の第１の実施の形態におけるシステムに備わる基地局の構成例を示す図である。
【図３】本発明の第１の実施の形態におけるシステムの動作を説明する為の図である。
【図４】本発明の第１の実施の形態におけるシステムの動作（端末における表示動作）を説明する為の図である。
【図５】本発明の第１の実施の形態におけるシステムに備わる地図データの一例を示した図である。
【図６】本発明の第１の実施の形態におけるシステムに備わる端末が各セルの混雑度を画面に表示したときの一例を示した図（その１）である。
【図７】本発明の第１の実施の形態におけるシステムに備わる端末が各セルの混雑度を画面に表示したときの一例を示した図（その２）である。
【図８】本発明の第１の実施の形態におけるシステムのその他の構成例（通信エリアがセクタであるときの構成例）を示す図である。
【図９】本発明の第１の実施の形態におけるシステムに備わる端末が各セクタの混雑度を画面に表示したときの一例を示した図である。
【図１０】本発明の第２の実施の形態におけるシステムの構成例を示す図である。
【図１１】本発明の第２の実施の形態におけるシステムに備わる基地局の構成例を示す図である。
【図１２】本発明の第２の実施の形態におけるシステムの動作を説明する為の図である。
【図１３】本発明の第２の実施の形態におけるシステムの動作（端末における表示動作）を説明する為の図である。
【図１４】本発明の第２の実施の形態におけるシステムの端末が使用する式を説明する為の図である。
【図１５】本発明の第２の実施の形態におけるシステムに備わる端末が各セルの混雑度を画面に表示したときの一例を示した図である。
【図１６】本発明の第３の実施の形態におけるシステムの構成例を示す図である。
【図１７】特許文献１のシステムの構成例を示す図である。
【発明を実施するための形態】
【００１７】
次に本発明の実施形態について、図面を参照して詳細に説明する。
【００１８】
≪第１の実施の形態≫
[概要]
本発明の第１の実施の形態におけるシステムは、いくつかの基地局と端末を備える。端末は、少なくともいずれかの基地局のセルに在圏し、その基地局と通信を行う。
【００１９】
各基地局は、自局のセル（以下、「自セル」という）の混雑度を算出する。上述の混雑度は、自セルに在圏する端末と通信を行う為に使用する無線リソースの使用率であってもよい。各基地局は、隣接する基地局から、その基地局が算出した混雑度を取得する。取得した混雑度は、隣接する基地局のセル（以下、「隣接セル」という）の混雑度である。なお、各基地局は、隣接する基地局から、隣接セルの位置情報も取得する。各基地局には、（自局の）セルの位置情報が予め設定されている。
【００２０】
各基地局は、算出した自セルの混雑度と（予め設定されている自セルの）位置情報、及び、取得した隣接セルの混雑度と位置情報を、自身と通信を行っている端末に送信する。端末は、通信を行っている基地局から各セルの混雑度と位置情報を受信すると、地図を表示し、受信したセルの位置情報が示す位置各々に、当該セルの混雑度を表示する。
【００２１】
上述のように、本実施形態のシステムは、端末のユーザに対し、端末が通信を行っている基地局のセル（通信エリア）の混雑度と、隣接する基地局のセル（通信エリア）の混雑度と、を知らせることができる。その際、本実施形態のシステムは、特許文献１のシステムのように、装置やサーバ等の追加機器を必要としない。その為、本実施形態のシステムは、設置コストを十分に抑えた上で、端末のユーザに各基地局のセル（通信エリア）の混雑度を知らせることができる。
【００２２】
以下に、本発明の第１の実施の形態におけるシステムの構成や機能、動作について説明する。図１は、本発明の第１の実施の形態におけるシステムの構成例を示す図である。
【００２３】
［構成の説明］
まず、本発明の第１の実施の形態におけるシステムの構成と機能について説明する。図１は、本発明の第１の実施の形態におけるシステムの構成例を示す図である。
【００２４】
（１）本発明の第１の実施の形態におけるシステムの構成
本実施形態のシステムは、図１に示されるように、基地局１０と、基地局２０と、端末３０と、移動体通信網４０と、を備える。移動体通信網４０は、一般的な移動通信網である。
【００２５】
基地局１０は、通信エリアであるセル１００を備え、基地局２０は、通信エリアであるセル１０１を備える。セル１０１は、隣接するセル１００と一部が重複している。セル１０１を有する基地局２０は、基地局１０に隣接する基地局である。
【００２６】
基地局２０は、基地局１０と有線回線を介して接続される。基地局１０と基地局２０間の有線回線は、所謂、３ＧＰＰ（３ｒｄ  Ｇｅｎｅｒａｔｉｏｎ  Ｐａｒｔｎｅｒｓｈｉｐ  Ｐｒｏｊｅｃｔ）に規定されるＸ２回線である。
【００２７】
また、基地局１０と基地局２０は、有線回線を介して移動体通信網４０と接続される。端末３０は、セル１００に在圏し、基地局１０と無線回線を介して接続される。端末３０は、基地局１０と通信を行っている。
【００２８】
（２）基地局１０、２０の機能
基地局１０と基地局２０の機能について説明を行う。基地局１０と基地局２０は同じ機能を備える為、代表して基地局１０の機能について説明を行う。
【００２９】
（２−１）一般的な基地局機能
基地局１０は、一般的な基地局と同様、３ＧＰＰに準拠する周知の無線通信機能を備える。
【００３０】
（２−２）自セルの混雑度を算出する機能と具体例
（２−２−１）自セルの混雑度を算出する機能
基地局１０は、自局に備わるセル１００の混雑度を定期的に算出する。
【００３１】
なお、セルの混雑度とは、セルに在圏する端末と基地局が通信を行う為に使用可能な無線リソースの逼迫度合を示す数値、例えば、使用可能な無線リソースのうち、実際に使用している無線リソースの使用率である。上述の無線リソースは、例えば、周波数帯域、送信電力、リソースエレメント、符号、ベースバンド機能部等のいずれか、又は組み合わせである。
【００３２】
（２−２−２）セル１００の混雑度の具体例
例えば、基地局１０が、（セル１００に在圏する端末と通信を行う為に）無線リソースとして４つの周波数帯域を使用可能であり、そのうち２つの周波数帯域を使用してセル１００に在圏する端末と通信を行っているとする。そのとき、セル１００の混雑度は、周波数帯の使用率０．５（＝２／４）である。
【００３３】
また、基地局１０が、（セル１００に在圏する端末と通信を行う為に）無線リソースとして送信電力を４０ｄＢｍ（＝１０Ｗ）まで使用可能であり、そのうち３０ｄＢｍ（＝１Ｗ）を使用してセル１００に在圏する端末と通信を行っているとする。そのとき、セル１００の混雑度は、送信電力の使用率０．１（＝１Ｗ／１０Ｗ）である。
【００３４】
さらに、基地局１０が、（セル１００に在圏する端末と通信を行う為に）無線リソースとして符号１５個とベースバンド機能部４０個を使用可能であり、そのうち１０個の符号と２０個のベースバンド機能部を使用して上述の端末と通信を行っているとする。符号は、例えば、スクランブリングコードである。そのとき、セル１００の混雑度は、符号の使用率（０．７５）とベースバンド機能部の使用率（０．５）のうちの最大値（０．７５）である。基地局がいくつかの種類の無線リソースを使用可能であるとき、セルの混雑度は、各無線リソースの使用率の中の最大値である。
【００３５】
（２−３）自セルの混雑度を送信する機能
基地局１０は、セル１００の混雑度を算出し、セル１００の位置情報と共に、隣接する基地局２０に送信する。
【００３６】
上述の「セル１００の位置情報」は、本実施形態のシステムの管理者によって基地局１０に予め設定される。上述の「セル１００の位置情報」は、セル１００の中心に位置する場所（例えば、基地局１０）の位置情報（緯度・経度）である。
【００３７】
基地局１０は、送信した混雑度と位置情報を自セル情報として記憶する。
【００３８】
（２−４）隣接セルの混雑度を取得する機能
さらに、基地局１０は、隣接する基地局２０から受信したセル１１０の混雑度とセル１１０の位置情報を隣接セル情報として取得（記憶）する。
【００３９】
（２−５）各セルの混雑度を端末に通知する機能
基地局１０は、記憶している自セル情報、及び記憶した隣接セル情報を、自局に備わるセル１００に在圏する端末３０に周知の無線通信機能により送信する。
【００４０】
（３）端末３０の機能
端末３０は、一般的なスマートフォンと同様、３ＧＰＰに準拠する無線通信機能を備える。
【００４１】
端末３０は、上述の無線通信機能により、基地局１０から受信した無線信号から自セル情報と隣接セル情報を抽出し、記憶する。端末３０は、自身に備わる所定のキーが押下されたとき、記憶している自セル情報と隣接セル情報を読み出す。端末３０は、読み出した自セル情報と隣接セル情報を自身に備わる画面に表示する。
【００４２】
（４）基地局１０、２０の構成
（４−１）基地局１０、２０の構成
図２は、本発明の第１の実施の形態におけるシステムに備わる基地局１０の構成例を示す図である。
【００４３】
基地局１０は、上述の「（２）基地局１０、２０の機能」を実現する為に、図２に示されるように接続された、算出部１１と、取得部１２と、無線通信部１３と、記憶部１４と、を備える。
【００４４】
基地局２０は、基地局１０と同じ構成を備える。すなわち、基地局２０は、図示していないが、算出部２１と、取得部２２と、無線通信部２３と、記憶部２４を備える。
【００４５】
基地局１０の取得部１２と基地局２０の取得部２２は、Ｘ２回線を介して接続される。基地局１０の無線通信部１３は、無線回線を介して端末３０と接続される。
【００４６】
各機能部の機能・動作については、後述の［動作の説明］で詳細に説明を行う。
【００４７】
なお、上述の算出部１１、２１と、取得部１２、２２は、電子回路、ＦＰＧＡ（Ｆｉｅｌｄ−Ｐｒｏｇｒａｍｍａｂｌｅ  Ｇａｔｅ  Ａｒｒａｙ）、及びＲＡＭ（Ｒａｎｄａｍ  Ａｃｃｅｓｓ  Ｍｅｍｏｒｙ）等のメモリを用いて実現することができる。無線通信部１３、２３は、電子回路、ＦＰＧＡ、及びＤＳＰ（Ｄｉｇｉｔａｌ  Ｓｉｇｎａｌ  Ｐｒｏｃｅｓｓｏｒ）を用いて実現することができる。記憶部１４、２４は、ＲＡＭ等のメモリを用いて実現することができる。
【００４８】
［動作の説明］
以下、図３〜図５を用いて、本発明の第１の実施の形態におけるシステムの動作を説明する。
【００４９】
（１）基地局が各セルの混雑度を取得する動作
（１−１）動作概要
まず、基地局１０、２０は、自局に備わるセル（すなわち、自セル）の混雑度を定期的に算出し、予め自身に設定されている自セルの位置情報と共に、隣接する基地局２０、１０に送信する。逆に、基地局１０、２０は、隣接する基地局２０、１０から、受信した混雑度と位置情報を隣接セル情報として取得し、記憶する。なお、基地局１０、２０は、送信した自セルの混雑度と位置情報を自セル情報として記憶する。
【００５０】
（１−２）動作詳細
上述の「（１−１）動作概要」は、各基地局１０、２０の算出部１１、２１と取得部１２、２２が以下のＳ１〜Ｓ５を実施することで実現される。
【００５１】
（１−２−１）Ｓ１〜Ｓ５の動作
まず、基地局１０の算出部１１は、図３に示されるように、自セル１００の混雑度として、セル１００に在圏する端末と無線通信を行う為の無線リソースの使用率を算出する（Ｓ１）。
【００５２】
混雑度の算出は、予め本実施形態のシステムの管理者によって基地局１０の算出部１１に設定された一定間隔のタイミングで行われる。例えば、セル１００に在圏する端末と無線通信を行う為の無線リソース１０個のうち３個使用して端末と無線通信を行っていた場合、基地局１０の算出部１１は、セル１００の混雑度として０．３（＝３／１０）を算出する。
【００５３】
次に、基地局１０の算出部１１は、算出したセル１００の混雑度０．３と、予め本実施形態のシステムの管理者によって設定されているセル１００の位置情報と、を対応づけ、自セル情報として記憶部１４に記憶する（Ｓ２）。
【００５４】
上述のセル１００の位置情報は、本実施形態では基地局１０の位置情報（緯度・経度）である。
【００５５】
次に、記憶された自セル情報は算出部１１から取得部１２に出力され（Ｓ３）、パケット（以下、「セル情報パケット」という）として、取得部１２から隣接する基地局２０の取得部２２に送信される（Ｓ４）。
【００５６】
なお、送信に際し、取得部１２は、セル情報パケットのＩＰ（Ｉｎｔｅｒｎｅｔ  Ｐｒｏｔｏｃｏｌ）ヘッダ部に含まれる宛先ＩＰアドレスを、隣接する基地局２０の取得部２２のＩＰアドレスにする。取得部２２のＩＰアドレスは、本実施形態のシステムの管理者によって取得部１２に予め設定されている。
【００５７】
上述のＳ１〜Ｓ４の動作は、隣接する基地局２０でも同様に実施される。
【００５８】
その結果、隣接する基地局２０の取得部２２から基地局１０の取得部１２に対し、セル１０１の混雑度とセル１０１の位置情報を含むセル情報パケットが送信される。
【００５９】
基地局１０の取得部１２は、取得部２２より受信したセル情報パケットからセル１０１の混雑度とセル１０１の位置情報を抽出し、隣接セル情報として記憶部１４に記憶する（Ｓ５）。
【００６０】
以下、セル１０１の混雑度は値０であり、セル１０１の位置情報は、セル１０１の中心に位置する基地局２０の位置情報（緯度・経度）であるものとして説明を続ける。
【００６１】
（１−２−２）Ｓ１〜Ｓ５が実施されたときの記憶部１４について
上述のＳ１〜Ｓ５により、基地局１０の記憶部１４には、自セル情報（すなわち、セル１００の混雑度０．３とセル１００の位置情報）と、隣接セル情報（すなわち、セル１０１の混雑度０とセル１０１の位置情報）と、が格納されることとなる。
【００６２】
（１−２−３）Ｓ４とＳ５の処理について
上述のＳ４とＳ５の処理は、互いに非同期に処理されるので、処理タイミングが重なってしまう場合がある。その場合、取得部１２は、Ｓ４を実施した後にＳ５を実施する。
【００６３】
（２）各セルの混雑度を端末に通知する動作
（２−１）動作概要
基地局１０、２０は、自セル情報と隣接セル情報を記憶すると、記憶する自セル情報と隣接セル情報を自セル１００、１０１に在圏する端末に通知する。
【００６４】
基地局１０、２０は同じ動作を行うので、以下、代表して基地局１０の動作を説明する。
【００６５】
（２−２）動作詳細
まず、記憶部１４に記憶されている自セル情報と隣接セル情報は、図３に示されるように、取得部１２から無線通信部１３に出力された（Ｓ６）後、（３ＧＰＰに準拠する）無線信号に変換され、自セル１００に在圏する端末３０に送信される（Ｓ７）。
【００６６】
端末３０は、受信した無線信号から自セル情報（セル１００の位置情報とセル１００の混雑度０．３）と隣接セル情報（セル１０１の位置情報とセル１０１の混雑度０）を抽出し、記憶する（Ｓ８）。
【００６７】
基地局１０、２０が、上述のＳ１〜Ｓ８を繰り返し実施することで、最新のセル１００、１０１の混雑度と位置情報が繰り返し端末３０に通知されることとなる。端末は、通知された最新のセル１００、１０１の混雑度と位置情報を記憶していく。
【００６８】
なお、基地局１０の無線通信部１３は、上述のＳ７において、自セル情報と隣接セル情報を、（３ＧＰＰに規定される）報知チャネルに配置し、端末３０だけでなく、セル１００に在圏する端末全てにブロードキャストしてもよい。
【００６９】
（３）各セルの混雑度表示動作
（３−１）各セルの混雑度表示動作
端末３０は、所定のキーがユーザから押下されると、図４の左図に示されるように、記憶する自セル情報と隣接セル情報を読み出す（Ｓ２０）。
【００７０】
次に、端末３０は、読み出した自セル情報（すなわち、セル１００の位置を示す位置情報とセル１００の混雑度０．３）と隣接セル情報（すなわち、セル１０１の位置を示す位置情報とセル１０１の混雑度０）を自身に備わる画面に表示する（Ｓ２１）。
【００７１】
上述の表示を確認して、本実施形態の端末３０のユーザは、各セルの混雑度を知ることができる。
【００７２】
（３−２）その他の混雑度表示動作（その１）
端末３０は、以下のＳ２１０〜Ｓ２１２の通りに、各セルの混雑度を地図上に表示してもよい。なお、以下のＳ２１０〜Ｓ２１２では、セル１００、１０１の位置情報（緯度・経度）は秒単位の位置情報（緯度・経度）であることを前提とする。端末３０が地図上に混雑度を表示できるようにする為である。
【００７３】
まず始めに、端末３０は、上述のＳ２０の後、図４の右図に示されるように、自身に予め設定されている地図データを地図として画面に表示する（Ｓ２１０）。
【００７４】
図５は、本発明の第１の実施の形態におけるシステムに備わる地図データの一例を示した図である。地図データは、図５に示されるように、一般的な道路データに位置情報（秒単位の緯度と経度）がマッピングされたデータである。
【００７５】
上述の地図データは、端末３０の製造者によって予め端末３０に設定されてもよいし、基地局１０から端末３０にダウンロードされてもよい。基地局１０からダウンロードされる場合、基地局１０には地図データが本実施形態のシステムの管理者により予め設定される。基地局１０は、上述のＳ１２において、自セル情報と隣接セル情報と共に地図データを端末３０に送信（ダウンロード）し、端末３０は、受信した地図データを記憶する。端末３０は、Ｓ２０を実施した後、記憶する地図データを表示する。
【００７６】
Ｓ２１０の後、端末３０は、図４の右図に示されるように、Ｓ２０で読み出した自セル情報と隣接セル情報各々から各セルの位置情報と混雑度を抽出し（Ｓ２１１）、当該位置情報に対応する地図上の位置に、当該セルの混雑度を表示する（Ｓ２１２）。
【００７７】
図６は、端末３０が各セルの混雑度を画面に表示したときの一例を示した図である。例えば、端末３０は、抽出したセル１００の位置情報がマッピングされている地図上の位置（例えば、図６のＹの位置）に、セル１００の混雑度０．３を表示する。また、端末３０は、抽出したセル１０１の位置情報がマッピングされている地図上の位置（例えば、図６のＺの位置）に、セル１０１の混雑度０を表示する。
【００７８】
さらに、端末３０は、図６に示されるように、抽出した各セルの位置情報がマッピングされている地図上の位置（例えば図６のＹやＺ）を中心とする、所定の半径の円を地図上に表示してもよい。端末３０は、セル１００、１０１の大よその範囲を地図上に表わすことができる。本実施形態ではセル１００、１０１が円であるような場合を想定している。
【００７９】
さらに、端末３０は、ＧＰＳ（Ｇｌｏｂａｌ  Ｐｏｓｉｔｉｏｎｉｎｇ  Ｓｙｓｔｅｍ）機能を備える場合、ＧＰＳ機能により現在地の位置情報を秒単位に測定し、図６に示されるように、測定した位置情報がマッピングされている地図上の位置に、現在地を示す文字を表示してもよい。
【００８０】
端末３０のユーザは、端末画面に表示された地図上で各セルの混雑度を知り、混雑度の小さいセルに移動することができる。
【００８１】
（３−３）その他の混雑度表示動作（その２）
（３−３−１）その他の混雑度表示動作（その２）の概要説明
図７は、本発明の第１の実施の形態におけるシステムに備わる端末が各セルの混雑度を画面に表示したときの一例を示した図（その２）である。
【００８２】
端末３０は、図７に示されるように、地図上にマッピングされている位置情報のうち、基地局１０から通知されたセルの位置情報（ＹやＺの位置を示す位置情報）から一定半径内の位置情報については、その位置に、対応する混雑度（０．３や０）を表示してもよい。但し、端末３０は、重複して複数の混雑度を表示する位置、例えば、図７の破線内にある位置情報の位置については、重複して混雑度（０．３と０）を表示するのではなく、最小の混雑度０を表示する。
【００８３】
（３−３−２）その他の混雑度表示動作（その２）の具体的内容
上述の（３−３−１）で説明した動作は、端末３０が、Ｓ２１０、Ｓ２１１を実施し、Ｓ２１１で抽出したセルの位置情報毎に以下の（Ｉ）〜（ＶＩ）の処理を実施することで実現される。なお、Ｓ２１１で抽出したセルの位置情報各々には、当該セルの混雑度が対応づけられている。
【００８４】
（Ｉ）まず、端末３０は、上述のＳ２１１で抽出したセルの位置情報に対応する半径値を半径表から求め、当該位置情報と半径値を記憶する。
【００８５】
上述の半径表は、端末３０に予め設定されている表であり、セルの位置情報（秒単位の緯度と経度）と当該セルの半径値が対応づけられている表である。半径表は、本実施形態のシステムの管理者によって作成され、端末３０のユーザに通知される。端末３０のユーザは、通知された半径表を端末３０に設定する。
【００８６】
（ＩＩ）次に、端末３０は、地図にマッピングされている位置情報（緯度・経度）毎に、上述のＳ２１１で抽出したセルの位置情報（緯度・経度）からの距離を求め、その距離が（Ｉ）で求めた半径値以内であれば、その位置情報を記憶する。
【００８７】
（ＩＩＩ）次に、端末３０は、（ＩＩ）で記憶した位置情報に、（上述のＳ２１１で抽出したセルの位置情報に対応する）セルの混雑度を関連づけて記憶する。
【００８８】
（ＩＶ）但し、端末３０は、（ＩＩ）で記憶した位置情報に、他の混雑度をすでに関連づけて記憶していた場合には、すでに記憶している混雑度と、（ＩＩＩ）で記憶しようとする混雑度のうち小さい方を記憶する。
【００８９】
（Ｖ）端末３０は、上述のＳ２１１で抽出したセルの位置情報全てについて（Ｉ）〜（ＩＶ）を実施した後、記憶する位置情報がマッピングされている地図上の位置各々に、当該位置情報と関連して記憶する混雑度を表示する。
【００９０】
（ＶＩ）さらに、端末３０は、上述の（Ｉ）で記憶した位置情報の地図上の位置（例えば、図７のＹやＺ）各々に、その位置を中心とする円を表示する。表示する円は、当該位置情報に対応する半径値（例えば５００ｍ）の円である。上述の半径値は、（Ｉ）で記憶した半径値である。
【００９１】
（Ｉ）〜（ＶＩ）の処理の結果、端末３０は、図７に示されるように、混雑度の分布を得ることができる。
【００９２】
（３−４）混雑度の低いセルへの移動を促す表示について
さらに、端末３０は、混雑度の低いセルへの移動を促す情報を表示してもよい。
【００９３】
例えば、端末３０は、以下の（ｉ）〜（ｉｉｉ）の通りに、混雑度の低いセルへの移動を促す情報を表示してもよい。
【００９４】
（ｉ）まず、端末３０は、上述のＳ２１１で抽出した混雑度のうち最小の混雑度を求める。
【００９５】
（ｉｉ）次に、端末３０は、（ｉ）で求めた混雑度に対応する位置情報を求める。
【００９６】
端末３０は、上述のＳ２１１で抽出した混雑度には、セルの位置情報が対応づけられているので上述の（ｉｉ）を実施できる。
【００９７】
（ｉｉｉ）次に、端末３０は、（ｉｉ）で求めた位置情報がマッピングされた地図上の位置に、「ここは通信が混雑していない所です。より快適に通信を行える可能性があります。ここに移動してみましょう。」との文字列を表示する。上述の文字列は、予め端末３０の製造者によって端末３０に設定されている。
【００９８】
混雑度の低いセルへの移動を促すことで、本実施形態のシステムは、１つのセルに多くの端末が集中する状態を解消しやすくなる。
【００９９】
（４）本実施形態のシステムに備わる端末と基地局の台数について
なお、本実施形態のシステムは、端末３０の１台に限らず、複数台の端末を備えてよい。その場合、各端末は、上述のＳ２０〜Ｓ２１を実施して、各セルの混雑度を表示する。各端末は、上述の「（３−２）その他の混雑度表示動作（その１）」や「（３−３）その他の混雑度表示動作（その２）」を実施して、各セルの混雑度を地図上に表示してもよい。
【０１００】
また、本実施形態のシステムは、基地局１０、２０以外に基地局を備えてもよい。
【０１０１】
（５）各基地局１０、２０がセクタ構成であるときの動作
（５−１）動作概要  以上では、通信エリアがセルである場合について説明したが、通信エリアはセクタであってもよい。図８は、本発明の第１の実施の形態におけるその他のシステムの構成例（通信エリアがセクタであるときの構成例）を示す図である。図８に示されるように、本実施形態のシステムの各基地局は、通信エリアとして、複数のセクタを備えてもよい。セクタは、セルを分割した通信エリアである。
【０１０２】
各基地局は、自身に備わるセクタの混雑度を算出し、隣接する基地局から、その基地局が算出したセクタの混雑度を取得する。さらに、各基地局は、自身に備わるセクタに在圏する端末に対し、各セクタの混雑度を送信する。本実施形態のシステムの端末は、各セクタの混雑度を表示する。
【０１０３】
（５−２）動作詳細
図９は、端末３０が各セクタの混雑度を画面に表示したときの一例を示した図である。
【０１０４】
上述の「（５−１）動作概要」を実現する為、基地局１０の算出部１１には、本実施形態のシステムの管理者によって、各セクタの位置情報が予め設定される。
【０１０５】
上述のセクタの位置情報は、当該セクタの大よその中心位置を示す情報（緯度や経度）である。本実施形態のシステムの管理者は、セクタ毎に、一定の受信強度以上で当該セクタの電波を観測できた位置を中心位置とし、その位置の位置情報を基地局１０の算出部１１に設定してもよい。なお、一定の受信強度以上で観測できた位置が複数ある場合には、本実施形態のシステムの管理者は、最も強い受信強度を観測した位置を中心位置としてもよい。
【０１０６】
上述の設定がされた各基地局１０、２０は、上述のＳ１、Ｓ６において、自身に備わる各セクタの混雑度を算出する。混雑度の算出は、予め基地局１０、２０の算出部１１、２１に設定された一定間隔のタイミングで行われる。セクタの混雑度は、当該セクタに在圏する端末と無線通信を行う為の無線リソースの使用率であってもよい。
【０１０７】
次に、基地局１０、２０は、上述のＳ２を実施するが、その際、基地局１０、２０は、「セル１００」を「各セクタ」と読み替えて実施する。さらに、基地局１０、２０は、上述のＳ５を実施するが、その際、「セル１００の混雑度０．３とセル１００の位置情報」と「セル１０１の混雑度０とセル１０１の位置情報」を、「各セクタの混雑度と位置情報」と読み替えて実施する。端末３０は、Ｓ２１を実施するが、その際、「セル１００」「セル１０１」を「各セクタ」と読み替えて実施する。
【０１０８】
その結果、端末３０は、各セクタの混雑度を表示し、端末３０のユーザは、各セクタの混雑度を知ることができる。
【０１０９】
なお、端末３０は、上述の「（３−３）その他の混雑度表示動作（その２）」を実施して、地図上に各セクタの混雑度を表示してもよい。その場合、端末３０は、「セル」を「セクタ」と読み替えて実施する。その結果、図９に示されるように、各セクタの位置情報を中心として一定範囲内に混雑度を表示することができる。
【０１１０】
（６）上述のＳ１〜Ｓ８を実施するタイミングについて
上記では、本実施形態のシステムの基地局は、一定間隔毎にＳ１〜Ｓ８を実施したが、端末から位置登録が行われたときや端末がハンドオーバするときにも上述のＳ１〜Ｓ８を実施してもよい。
【０１１１】
上述の「位置登録が行われたとき」とは、例えば、３ＧＰＰ規定の周知の位置登録メッセージを受信したときであってもよい。上述の「端末がハンドオーバするとき」とは、例えば、３ＧＰＰ規定の「Ｈａｎｄｏｖｅｒ  Ｒｅｑｕｅｓｔ」メッセージを送信したときであってもよい。
【０１１２】
［効果の説明］
本実施形態によれば、システムは、システムの設置コストを十分に抑えた上で、端末のユーザに対し、当該端末が通信を行っている基地局の通信エリアの混雑情報と、隣接する基地局の通信エリアの混雑情報と、を知らせることができる。
【０１１３】
なぜなら、本実施形態のシステムの各基地局が、自局の通信エリアの混雑度を算出すると共に、隣接する基地局から（その基地局）の通信エリアの混雑度を取得し、それら各通信エリアの混雑度を、自局の通信エリアに在圏する端末に通知するからである。
【０１１４】
上述の基地局の動作により、本実施形態のシステムは、特許文献１のシステムのようにサーバ等の追加機器を設置することなく、各通信エリアの混雑度を端末のユーザに知らせることができる。その結果、本実施形態のシステムは、システムの設置コストを十分に抑えた上で、各通信エリアの混雑度を端末のユーザに知らせることができる。
【０１１５】
なお、本実施形態のシステムの各基地局は、隣接する基地局から直接、通信エリアの混雑度を取得し、端末に送信する。各基地局は、特許文献１のシステムのようにサーバを介して取得しない。その為、端末のユーザは、特許文献１のシステムよりもリアルタイムに隣接する基地局の通信エリアの混雑度を知ることができる。
【０１１６】
≪第２の実施の形態≫
次に、本発明の第２の実施の形態について説明する。
【０１１７】
第１の実施形態のシステムでは、端末は、図７に示されるように、一定半径の円内に混雑度を表示した。通信エリアを端末のユーザに大まかに示す為である。しかし、基地局が指向性アンテナを用いて電波を発するときには、通信エリアは楕円となる。そこで、第２の実施形態のシステムでは、基地局は、通信エリア（楕円）を特定する為のパラメータを端末に通知し、端末は、通知されたパラメータが示す地図上の範囲（楕円）内に混雑度を表示する。
【０１１８】
なお、第２の実施形態のシステムは、第１の実施形態のシステムの１バリエーションであり、第１の実施形態のシステムと同じ効果を有する。
【０１１９】
以下に、第２の実施の形態のシステムの構成と動作について説明する。図１０は、本発明の第２の実施の形態におけるシステムの構成例を示す図である。
【０１２０】
［構成の説明］
（１）第２の実施形態のシステムの構成
第２の実施形態のシステムは、図１０に示されるように、基地局１０、２０と端末３０の代わりに、基地局２１０、２２０と端末５０を備える。基地局２１０、２２０は、図示していないが、指向性アンテナを備える。基地局２１０、２２０は、セル１００、１０１の代わりに、セル１２１０、１２２０を備える。セル１２１０とセル１２２０は、基地局２１０、２２０に備わる指向性アンテナにより形づくられる通信エリアであり、その形状は楕円である。
【０１２１】
（２）基地局２１０、２２０の機能
基地局２１０、２２０は同じ機能を有するので、代表して基地局２１０の機能について説明する。
【０１２２】
基地局２１０には、本実施形態のシステムの管理者によって、自セル１２１０を特定する為のパラメータが設定される。自セル１２１０を特定する為のパラメータは、例えば、自セル１２１０の形状（楕円）を示すパラメータであり、長軸の長さや短軸の長さ、当該楕円の中心に対応する位置情報、基地局２１０の位置情報を含む。基地局２１０の位置情報は、セル１２１０の形状（楕円）の傾き角を定義する為に含まれるものである。
【０１２３】
上述の自セル１２１０を特定する為の各パラメータは、実測値より設定されてもよく、その具体例な設定の仕方については、後述の[動作の説明]で説明を行う。
【０１２４】
基地局２１０は、設定されたセル１２１０を特定する為のパラメータを、算出したセル１２１０の混雑度と対応づけ、自セル情報として記憶する。
【０１２５】
基地局２１０は、受信したセル情報パケットからセル１２２０の混雑度と、セル１２２０を特定する為のパラメータと、を抽出し、隣接セル情報として記憶部１４に記憶する。
【０１２６】
（３）端末５０の機能
端末５０は、地図データを画面に表示すると、自セル情報と隣接セル情報各々から、セル１２１０の混雑度と、セル１２１０を特定する為のパラメータと、セル１２２０の混雑度と、セル１２２０を特定する為のパラメータと、を抽出する。
【０１２７】
端末５０は、抽出した「セル１２１０を特定する為のパラメータ」が示す範囲（楕円）内の位置情報がマッピングされている地図上の位置に、セル１２１０の混雑度を表示する。「パラメータが示す範囲（楕円）内の位置情報」の求め方については、後述の[動作の説明]にて詳細を説明する。同様に、端末５０は、抽出した「セル１２２０を特定する為のパラメータ」が示す範囲（楕円）内の位置情報がマッピングされている地図上の位置に、セル１２２０の混雑度を表示する。
【０１２８】
（４）基地局２１０、２２０の構成
（４−１）基地局２１０、２２０の構成
図１１は、本発明の第２の実施の形態におけるシステムに備わる基地局２１０の構成例を示す図である。
【０１２９】
基地局２１０は、上述の「（２）基地局２１０、２２０の機能」を実現する為に、図１１に示されるように、算出部１１と取得部１２の代わりに、算出部２１１と取得部２１２を備える。
【０１３０】
基地局２２０の構成は、基地局２１０と同じである。すなわち、基地局２２０は、図示していないが、算出部２１と取得部２２の代わりに、算出部２２１と取得部２２２を備える。
【０１３１】
（４−２）算出部２１１、２２１の機能
算出部２１１、２２１は同じ機能を有する為、代表して算出部２１１について説明を行う。
【０１３２】
基地局２１０の算出部２１１は、設定されたセル１２１０を特定する為のパラメータを、算出したセル１２１０の混雑度と対応づけ、自セル情報として記憶する。
【０１３３】
（４−３）取得部２１２、２２２の機能
取得部２１２、２２２は同じ機能を有する為、代表して取得部２１２について説明を行う。
【０１３４】
基地局２１０の取得部２１２は、受信したセル情報パケットからセル１２２０の混雑度と、セル１２２０を特定する為のパラメータと、を抽出し、隣接セル情報として記憶部１４に記憶する。
【０１３５】
上述した以外の構成や機能は、第１の実施の形態におけるシステムと同じであるので、同一の符号を付して説明を省略する。
【０１３６】
[動作の説明]
次に、本実施形態のシステムの動作を説明する。図１２、図１３は、本発明の第２の実施の形態におけるシステムの動作を説明する為の図である。
【０１３７】
（１）第２の実施形態のシステムの動作
（１−１）事前設定
まず、基地局２１０には、本実施形態のシステムの管理者により、楕円であるセル１２１０を特定する為のパラメータが設定される。
【０１３８】
具体的には、基地局２１０には、セル１２１０の形状（楕円）を示す長軸や短軸の長さ、セル１２１０（楕円）の中心に対応する位置情報、基地局２１０の位置情報が、セル１２１０を特定する為のパラメータとして設定される。
【０１３９】
本実施形態のシステムの管理者は、上述のパラメータを実測により基地局２１０に設定してもよい。例えば、本実施形態のシステムの管理者は、基地局２１０の指向性アンテナから電波が届くと想定される多くの位置で電波の受信強度を測定する。本実施形態のシステムの管理者は、測定した位置のうち、指向性アンテナ（基地局２１０）から所定距離以上離れ、且つ、一定以上の受信強度の電波を測定した位置（以下、「遠方高受信位置」という）を求める。上述の位置が複数求められた場合には、本実施形態のシステムの管理者は、最も大きい受信強度で電波を測定した位置を遠方高受信位置とする。本実施形態のシステムの管理者は、指向性アンテナ（基地局２１０）の位置から遠方高受信位置までの距離の２倍を、楕円の長軸の長さとして基地局２１０に設定してもよい。また、本実施形態のシステムの管理者は、遠方高受信位置と指向性アンテナの位置の中間に位置する場所の位置情報（東経や北緯）を、楕円の中心に対応する位置情報として基地局２１０に設定してもよい。さらに、本実施形態のシステムの管理者は、一定以上の受信強度が測定された各位置について、それぞれ遠方高受信位置と指向性アンテナの位置を結ぶ線までの最短距離を求める。本実施形態のシステムの管理者は、求めた最短距離のうち、最も長い距離の２倍を楕円の短軸の長さとして基地局２１０に設定してもよい。
【０１４０】
基地局２２０も同様に、本実施形態のシステムの管理者により、セル１２２０の形状（楕円）を示す長軸や短軸の長さ、セル１２２０（楕円）の中心に対応する位置情報、及び基地局２２０の位置情報がセル１２２０を特定する為のパラメータとして設定される。
【０１４１】
（１−２）セル１２１０を特定する為のパラメータの記憶
基地局２１０の算出部２１１は、図１２に示されるように、上述のＳ１の後、上述のＳ１で算出したセル１２１０の混雑度と、設定されたセル１２１０を特定する為のパラメータと、を対応づけ、自セル情報として記憶する（Ｓ２０２）。
【０１４２】
同様に、基地局２２０の算出部２２１も、上述のＳ２０２を行い、算出したセル１２２０の混雑度と、設定されたセル１２２０を特定する為のパラメータと、を対応づけ、自セル情報として記憶する。
【０１４３】
記憶された各セル情報は、その後、Ｓ３〜Ｓ７により、自セル情報、若しくは隣接セル情報として基地局２１０から端末５０に通知されることとなる。
【０１４４】
（１−３）端末５０の表示動作
端末５０は、図１３に示されるように、上述のＳ２０及びＳ２１０を実施して地図を画面に表示した後、基地局２１０から通知された自セル情報と隣接セル情報各々より、セルを特定する為のパラメータと混雑度を抽出する（Ｓ３１１）。
【０１４５】
具体的には、端末５０は、自セル情報から、セル１２１０の混雑度及びセル１２１０を特定する為のパラメータを抽出し、隣接セル情報から、セル１２２０の混雑度及びセル１２２０を特定する為のパラメータを抽出する。各混雑度とパラメータは対応づけられている。
【０１４６】
上述の「セル１２１０を特定する為のパラメータ」は、セル１２１０の形状（楕円）を特定する長軸の長さや短軸の長さ、セル１２１０の中心に対応する位置情報、及び基地局２１０の位置情報を含む。同様に、上述の「セル１２２０を特定する為のパラメータ」は、セル１２２０の形状（楕円）を特定する長軸の長さや短軸の長さ、セル１２２０の中心に対応する位置情報、及び基地局２２０の位置情報を含む。
【０１４７】
次に、上述のＳ３１１の後、端末５０は、抽出したセルを特定する為のパラメータが示す範囲（楕円）内の位置情報を求め、求めた位置情報がマッピングされている地図上の位置に、当該セルの混雑度を表示する（Ｓ３１２）。
【０１４８】
具体的には、端末５０は、抽出したセルを特定する為のパラメータ（以下、「特定パラメータ」という）毎に以下の（イ）〜（ニ）の動作を実施し、さらに、以下の（ホ）を実施する。
【０１４９】
（イ）まず、端末５０は、特定パラメータから、長軸の長さ及び短軸の長さを抽出し、それぞれ２で除算する。除算した各長さは、以下、「長半径」、「短半径」という。
【０１５０】
（ロ）端末５０は、特定パラメータから、基地局の位置情報と、セルの中心に対応する位置情報と、を抽出する。以下、抽出した基地局の位置情報は経度α１、緯度β１であり、「セルの中心に対応する位置情報」は、経度α２、緯度β２であったものとして説明を続ける。α１、α２は経度を示す数値であり、β１、β２は緯度を示す数値である。
【０１５１】
（ハ）次に、端末５０は、地図にマッピングされている位置情報（経度ｘ、緯度ｙ）毎に、以下の（式１）を満たしているかを判別し、満たしている場合には、その位置情報（経度ｘ、緯度ｙ）と、特定パラメータに対応する混雑度と、を関連づけて記憶する。なお、端末５０は、式１において距離を算出する場合、周知のヒュベニの公式により算出する。
2016134693.tif 000003
（ｘーα２）  ＝緯度β２における経度ｘと経度α２間の距離。
（ｙーβ２）  ＝経度α２における緯度ｙと緯度β２間の距離。
（β２ーβ１）＝経度α１における緯度β２と緯度β１間の距離。
（α２ーα１）＝緯度β１における経度α２と経度α１間の距離。
【０１５２】
図１４は、式１を説明する為の図である。上記の式１は、図１４に示されるように、セルの中心に対応する位置情報の位置を中心とする、長半径がａ、短半径がｂである楕円内であることを示している。また、式１の示す楕円は、セルの中心に対応する位置と基地局の位置を結ぶ直線と緯度β１の直線とのなす角度分、回転した楕円である。端末５０は、地図にマッピングされている各位置情報各々について、特定パラメータが示す楕円内の位置情報かどうかを、上述の式１を満たしているかにより判別していく。
【０１５３】
（ニ）なお、端末５０は、以下の（式１）を満たしていない場合には、何も記憶しない。
【０１５４】
（ホ）次に、端末５０は、抽出した特定パラメータ全てについて上述の（イ）〜（ニ）を実施すると、（イ）〜（ニ）で記憶した位置情報各々について、それがマッピングされている地図上の位置に、当該位置情報と関連づけて記憶した混雑度を表示する。
【０１５５】
その結果、端末５０の画面には、図１５に示されるように、セル１２１０、１２２０を示す楕円内の位置情報の位置に、当該セルの混雑度が表示される。図１５は端末５０が各セル１２１０、１２２０の混雑度を画面に表示したときの一例を示した図である。
【０１５６】
［効果の説明］
本実施形態によれば、システムは、第１の実施形態のシステムと同じ効果を有する。
【０１５７】
本実施形態のシステムは、設置コストを十分に抑えた上で、端末のユーザに対し、自身の保持する端末が通信を行っている基地局の通信エリアの混雑情報、隣接基地局の通信エリアの混雑情報を知らせることができる。
【０１５８】
≪第３の実施の形態≫
図１６は、本発明の第３の実施の形態におけるシステムの構成例を示す図である。以下に、第３の実施の形態のシステムの構成と動作について説明する。
【０１５９】
［構成の説明］
（１）第３の実施形態のシステムの構成
第３の実施形態のシステムは、図１６に示されるように、端末５００と通信を行う基地局１０００を備える。基地局１０００は、基地局１１００と接続される。
【０１６０】
基地局１０００は、通信エリア１００４を備え、基地局１１００は、通信エリア１１０４を備える。通信エリアはセルであってもよい。
【０１６１】
通信エリア１１０４は、通信エリア１００４の一部と重なっている。上述の通信エリア１１０４を有する基地局１１００は、基地局１０００に隣接する基地局である。基地局１１００は、以下、「隣接基地局１１００」という。
【０１６２】
（２）基地局１０００、１１００の構成
基地局１０００は、算出部１００１と、取得部１００２と、送信部１００３と、を備える。
【０１６３】
隣接基地局１１００も、基地局１０００と同じ機能部を備える。すなわち、隣接基地局１１００は、図示していないが、算出部１１０１と、取得部１１０２と、送信部１１０３と、を備える。
【０１６４】
（３）基地局１０００、隣接基地局１１００の各部位の機能
基地局１０００、隣接基地局１１００の各部位の機能は同じであるので、代表して基地局１０００の各部位の機能について説明を行う。
【０１６５】
まず、算出部１００１は、自局の通信エリア１００４の混雑度を算出する。上述の混雑度は、基地局１０００が通信エリア１００４に在圏する端末と通信を行うために使用する無線リソースの使用率であってもよい。
【０１６６】
取得部１００２は、接続する隣接基地局１１００から、隣接基地局１１００の通信エリア１１０４の混雑度、及び隣接基地局１１００の通信エリア１１０４を示す情報を取得する。上述の「通信エリア１１０４を示す情報」は、通信エリア１１０４を示す位置情報であってもよい。
【０１６７】
送信部１００３は、所定の契機に、自局の通信エリア１００４を示す所定の情報、（算出部１００１が）算出した通信エリア１００４の混雑度、（取得部１００２が）取得した情報、及び取得した通信エリア１１０４の混雑度を（端末５００に）送信する。
【０１６８】
上述の「通信エリア１００４を示す所定の情報」は、通信エリア１００４を示す位置情報であってもよく、本実施形態のシステムの管理者によって予め基地局１０００に設定される。
【０１６９】
（４）端末５００の機能
端末５００は、受信した複数の基地局の通信エリアを示す情報と当該通信エリアの混雑度（すなわち、通信エリア１００４を示す情報と通信エリア１００４の混雑度、通信エリア１１０４を示す情報と通信エリア１１０４の混雑度）を報知する信号を出力する。
【０１７０】
[動作の説明]
次に、本実施形態のシステムの動作を説明する。
【０１７１】
まず、基地局１０００の算出部１００１は、自局の通信エリア１００４の混雑度を算出する。
【０１７２】
同様に、隣接基地局１１００の算出部１１０１は、自局の通信エリア１１０４の混雑度を算出する。
【０１７３】
次に、基地局１０００の取得部１００２は、接続する隣接基地局１１００から、隣接基地局１１００の通信エリア１１０４の混雑度、及び通信エリア１１０４を示す情報を取得する。
【０１７４】
上述の「通信エリア１１０４の混雑度」は、隣接基地局１１００の算出部１１０１が算出している。また、上述の「通信エリア１１０４を示す情報」は、通信エリア１１０４を示す位置情報であり、本実施形態のシステムの管理者によって予め隣接基地局１１００に設定されている。基地局１０００の取得部１００２は、それらを隣接基地局１１００から取得する。
【０１７５】
次に、基地局１０００の送信部１００３は、所定の契機、例えば、隣接基地局１１００から通信エリア１１０４の混雑度を取得したときに、以下の（Ａ）〜（Ｄ）の４つの情報を端末５００に送信する。
【０１７６】
（Ａ）取得した通信エリア１１０４の混雑度
（Ｂ）取得した通信エリア１１０４を示す情報（位置情報）
（Ｃ）算出部１００１が算出した通信エリア１００４の混雑度
（Ｄ）通信エリア１００４を示す所定の情報（位置情報）
端末５００は、（基地局１０００より）受信した通信エリア１００４に対応する情報（位置情報）と通信エリア１００４の混雑度、通信エリア１１０４に対応する情報（位置情報）と通信エリア１１０４の混雑度を報知する信号を出力する。
【０１７７】
出力される信号は、通信エリア１００４を示す位置情報と混雑度、通信エリア１１０４を示す位置情報と混雑度を端末画面に表示する信号であってもよい。
【０１７８】
端末５００のユーザは、端末画面を見て、各基地局１０００、１１００の通信エリア１００４、１１０４の混雑度を知ることができる。
【０１７９】
なお、上記では、上述の通信エリア１００４、１１０４を示す情報が位置情報であるものとして説明したが、これに限定しない。通信エリア１００４、１１０４を示す情報は、通信エリア１００４、１１０４に対応する地名であってもよい。
【０１８０】
［効果の説明］
本実施形態によれば、システムは、システムの設置コストを十分に抑えた上で、端末のユーザに対し、当該端末が通信を行っている基地局の通信エリア１００４の混雑情報と、隣接する基地局の通信エリア１１０４の混雑情報と、を知らせることができる。
【０１８１】
なぜなら、本実施形態のシステムの各基地局が、自局の通信エリアの混雑度を算出すると共に、隣接する基地局から（その基地局）の通信エリアの混雑度を取得し、それら各通信エリアの混雑度を、自局の通信エリアに在圏する端末に通知するからである。
【０１８２】
上述の基地局の動作により、本実施形態のシステムは、特許文献１のシステムのように、サーバ等の追加機器を設置することなく、各通信エリアの混雑度を端末のユーザに知らせることができる。その結果、本実施形態のシステムは、システムの設置コストを十分に抑えた上で、各通信エリアの混雑度を端末のユーザに知らせることができる。
【０１８３】
なお、上述した実施の形態は、その形態に限定されるものではなく、実施段階ではその要旨を逸脱しない範囲で種々変更可能である。
【０１８４】
さらに、上記の各実施形態の一部又は全部は、以下の付記のようにも記載されうるが、以下には限られない。
（付記１）
自局の通信エリアの混雑度を算出する算出部と、
接続する隣接基地局から、前記隣接基地局の通信エリアの混雑度及び前記隣接基地局の通信エリアを示す情報を取得する取得部と、
所定の契機に、自局の前記通信エリアを示す所定の情報、算出した前記混雑度、取得した前記情報、及び取得した前記混雑度を送信する送信部と、
を備えることを特徴とする基地局。
（付記２）
前記算出部は、前記基地局が自局の前記通信エリア内の端末と通信を行うために使用する無線リソースの使用率を前記混雑度として算出する、
ことを特徴とする付記１に記載の基地局。
（付記３）
前記情報は、位置情報、若しくは地名である、
ことを特徴とする付記１又は付記２に記載の基地局。
（付記４）
受信した複数の基地局の通信エリアを示す情報と前記通信エリアの混雑度を報知する信号を出力する、
ことを特徴とする端末。
（付記５）
前記情報と前記混雑度に基づいて、混雑度の低い通信エリアへの移動を促す情報を報知する信号を出力する、
ことを特徴とする付記４に記載の端末。
（付記６）
受信した前記情報と前記混雑度毎に、画面上に表示された所定の地図データの前記情報に対応する位置に前記混雑度を表示する、
ことを特徴とする付記４又は付記５に記載の端末。
（付記７）
前記情報に対応する所定のエリアに前記混雑度を表示する、
ことを特徴とする付記６に記載の端末。
（付記８）
端末と通信を行う基地局を備え、
前記基地局は、付記１乃至３のいずれか１項に記載の基地局であり、
前記端末は、付記４乃至７のいずれか１項に記載の端末である、
ことを特徴とするシステム。
（付記９）
基地局が、自局の通信エリアの混雑度を算出する算出ステップと、
前記基地局が、接続する隣接基地局から、前記隣接基地局の通信エリアの混雑度及び前記隣接基地局の通信エリアを示す情報を取得する取得ステップと、
前記基地局が、所定の契機に、自局の前記通信エリアを示す所定の情報、前記算出ステップで算出した前記混雑度、取得した前記情報、及び取得した前記混雑度を端末に送信する送信ステップと、
前記端末が、受信した複数の基地局の通信エリアを示す情報と前記通信エリアの混雑度を報知する報知ステップと、を有する、
ことを特徴とする情報提供方法。
（付記１０）
前記算出ステップにおいては、前記基地局が自局の前記通信エリア内の端末と通信を行うために使用する無線リソースの使用率を前記混雑度として算出する、
ことを特徴とする付記９に記載の情報提供方法。
（付記１１）
前記報知ステップにおいて、前記情報と前記混雑度に基づいて、混雑度の低い通信エリアへの移動を促す情報を報知する、
ことを特徴とする付記９又は付記１０に記載の情報提供方法。
（付記１２）
前記報知ステップにおいては、受信した前記情報と前記混雑度毎に、端末画面上に表示された所定の地図データの前記情報に対応する位置に前記混雑度を表示する、
ことを特徴とする付記９乃至付記１１のいずれか１項に記載の情報提供方法。
（付記１３）
所定のタイミングになると、前記算出部が算出した前記混雑度と、自局の前記通信エリアに対応する所定の前記情報と、を前記隣接基地局に出力する通知部を備え、
前記取得部は、前記隣接基地局の前記通知部から出力された、前記隣接基地局の前記通信エリアの混雑度、及び前記隣接基地局の前記通信エリアを示す前記情報を取得する、
ことを特徴とする付記１乃至付記３のいずれか１項に記載の基地局。
（付記１４）
通信エリアは、セル、若しくはセクタである、
ことを特徴とする付記１乃至３又は付記１３のいずれか１項に記載の基地局。
（付記１５）
前記情報は、位置情報、若しくは地名である、
ことを特徴とする付記４乃至７のいずれか１項に記載の端末。
【符号の説明】
【０１８５】
３０、５０、９１、５００    端末
１０、２０、９２、９３、２１０、２２０、１０００、１１００    基地局
１１、２１、２１１、２２１、１００１、１１０１    算出部
１２、２２、２１２、２２２、１００２、１１０２    取得部
１３、２３    無線通信部
１４、２４    記憶部
４０    移動体通信網
９４    情報収集サーバ
９５    隣接識別・表示サーバ
９６    情報提供装置
１００、１０１、１２１０、１２２０    セル
１００３、１１０３    送信部
１００４、１１０４    通信エリア
【図１】
2016134693.tif 000004
【図２】
2016134693.tif 000005
【図３】
2016134693.tif 000006
【図４】
2016134693.tif 000007
【図５】
2016134693.tif 000008
【図６】
2016134693.tif 000009
【図７】
2016134693.tif 000010
【図８】
2016134693.tif 000011
【図９】
2016134693.tif 000012
【図１０】
2016134693.tif 000013
【図１１】
2016134693.tif 000014
【図１２】
2016134693.tif 000015
【図１３】
2016134693.tif 000016
【図１４】
2016134693.tif 000017
【図１５】
2016134693.tif 000018
【図１６】
2016134693.tif 000019
【図１７】
2016134693.tif 000020